(57)【特許請求の範囲】
【請求項１】
外部の空気が内部に流入されるように備えられた吸気口と、前記吸気口を通して流入された空気を外部に送り出すように備えられた送風口とが形成されたハウジング、
モーターとファンとから構成され、前記ハウジング内に内蔵され、前記吸気口を通して外部の空気を吸入し、前記送風口を通して前記空気を外部に排出させるファンユニット、及び
前記ハウジングの外面に結合され、弾性力によって広げられたり閉じられたりするように備えられたクリップ
を含み、
前記ハウジングの内部には前記吸気口を通して流入された空気が流動するように備えられた流路が備えられ、
前記送風口は、
前記ハウジングの一側に形成されたメイン送風口、及び
前記ハウジングの他側に形成され、前記ファンユニットによって前記流路に沿って前記ハウジングの他側まで流動した空気が外部に排出されるように備えられたサブ送風口を含み、
前記ハウジング内に備えられ、前記ファンユニットによって吸入された空気が前記メイン送風口または前記サブ送風口のうちいずれか一つを通して外部に排出されるように、前記ファンユニットによって吸入された空気の流動方向を制御する方向ガイドをさらに含む、クリップタイプ扇風機。
【請求項２】
前記方向ガイドは、
内側に前記ファンユニットが収容されるように結合され、側面周縁には、前記ファンユニットを囲んで前記ファンユニットによって排出される空気の流動を遮断するガイド壁、及び前記ガイド壁に一部分のみが開放され、前記ファンユニットによって排出される空気を通過させるベントホールを含むことを特徴とする、請求項１に記載のクリップタイプ扇風機。
【請求項３】
前記方向ガイドは、
回転により前記ベントホールが前記メイン送風口または前記サブ送風口に向かうように前記ベントホールの方向を切り換えることができ、
前記ベントホールが前記メイン送風口に向かうように位置する時には、前記サブ送風口は前記ガイド壁によって閉じられ、前記ベントホールが前記サブ送風口に向かうように位置する時には、前記メイン送風口は前記ガイド壁によって閉じられることを特徴とする、請求項２に記載のクリップタイプ扇風機。
【請求項４】
前記メイン送風口は、
前記ハウジングの一側上に互いに異なる方向に向かって形成された第１送風口及び第２送風口を含み、
前記方向ガイドは、
前記ベントホールが前記メイン送風口に向かうように位置する時、回転により、前記ベントホールが前記第１送風口または前記第２送風口のうちいずれか一つに向かうように、前記ベントホールの方向を選択的に切り換えることができ、
前記ベントホールが前記第１送風口に向かうように位置する時には、前記第２送風口は前記ガイド壁によって閉じられ、前記ベントホールが前記第２送風口に向かうように位置する時には、前記第１送風口は前記ガイド壁によって閉じられることを特徴とする、請求項３に記載のクリップタイプ扇風機。
【請求項５】
前記サブ送風口は、
前記ハウジングの他側上に互いに異なる方向に向かって形成された第３送風口、第４送風口及び第５送風口を含むことを特徴とする、請求項２に記載のクリップタイプ扇風機。
【請求項６】
前記方向ガイドは、
前記ハウジングの外部から前記方向ガイドを回転させることができるように、前記ハウジングに形成されたガイドスリットを通して前記ハウジングの外部に露出されたシフターをさらに含むことを特徴とする、請求項４に記載のクリップタイプ扇風機。
【請求項７】
前記ハウジングは、
前記モーターの作動有無を決定し回転速度を制御して前記送風口を通して排出される空気の風速を調節するコントロールスイッチをさらに含むことを特徴とする、請求項１に記載のクリップタイプ扇風機。
【請求項８】
前記ファンは、
遠心力を利用して外部の空気を吸入及び送風させる遠心ファン（ｃｅｎｔｒｉｆｕｇａｌ  ｆａｎ）で構成され、前記空気が出て行く翼の前側が曲がったフォワードカーブ型多翼送風機（ｆｏｒｗａｒｄ−ｃｕｒｖｅｄ  ｍｕｌｔｉｂｌａｄｅ  ｆａｎ）であることを特徴とする、請求項１に記載のクリップタイプ扇風機。
【請求項９】
前記クリップは、
前記ハウジングの外面と結合される結合地点を中心に、前記クリップの一側に位置し、押せるように備えられたプッシュ部、及び
前記プッシュ部から延びた前記クリップの他側に位置し、前記プッシュ部が押された時に前記ハウジングの外面から広げられて固定対象を挟み込み、弾性力によって閉じられて前記固定対象を固定させるように備えられた固定部を含むことを特徴とする、請求項１に記載のクリップタイプ扇風機。
【請求項１０】
前記プッシュ部は、
前記吸気口から離隔して前記吸気口を向き合うように位置し、前記吸気口を通して流入される空気が通過するように備えられた通気孔を含むことを特徴とする、請求項９に記載のクリップタイプ扇風機。
【請求項１１】
前記固定部は、
前記ハウジングの外面と向き合う方向側に備えられる滑り止めパッドを含み、
前記滑り止めパッドと向き合う前記ハウジングの外面には複数の突起からなる凹凸部が形成されることを特徴とする、請求項９に記載のクリップタイプ扇風機。
【請求項１２】
前記クリップは、
弾性及び弾性復原力を備えた素材から構成され、一側が前記ハウジングの外面に固定され、前記ハウジングの外面と接する他側には複数の歯が形成されて外力によって広げられることができ、前記一側から前記他側まで延びた部分には固定対象を挟み込む締結リングが備えられることを特徴とする、請求項１に記載のクリップタイプ扇風機。
【発明の詳細な説明】
【技術分野】
【０００１】
本発明は、クリップタイプ扇風機に関し、携帯し易くクリップを用いて使用者の衣服に固定させて使用できるだけでなく、必要に応じて風向きを選択的に制御することができるため、使用者の衣服の内側にも効率的に風を送風できるクリップタイプ扇風機に関する。
【背景技術】
【０００２】
一般に、携帯用扇風機は、使用者が簡便に所持及び把持して使用できるように備えられた小型の扇風機を称する。
【０００３】
このような携帯用扇風機は、小型という構造的な限界により、風の強度が制約的であるため、使用者が手で把持した状態で身体に近寄らせて風に当たるのが効果的であった。
【０００４】
このように、従来の携帯用扇風機は、使用者が携帯用扇風機を把持して使わなければならなかったため、使用時に使用者の両手が自由でないという短所があった。
【０００５】
一方、上記のような短所を解決するために携帯用扇風機を使用者の衣服に着用して使用する方法が考案されているが、従来の携帯用扇風機の場合、風が送風される送風口の位置が固定されているため、衣服に固定する時に常に送風口の方向を考慮しなければならないという問題があった。
【０００６】
また、従来の携帯用扇風機は、衣服に着用した時、衣服の外側にのみ風を送風することができたため、効果的に暑さを解消するには確かに限界があった。
【０００７】
よって、従来の携帯用扇風機が有する問題を解決できる新しいタイプの携帯用扇風機の開発が求められる現状である。
【発明の概要】
【発明が解決しようとする課題】
【０００８】
本発明が解決しようとする課題は、携帯し易くクリップを用いて使用者の衣服に固定させて使用できるだけでなく、必要に応じて風向きを選択的に制御することができるため、使用者の衣服の内側にも効率的に風を送風できるクリップタイプ扇風機を提供することにある。
【０００９】
また、本発明が解決しようとする技術的課題は前述した技術的課題に制限されず、言及していないまた他の技術的課題は下記の記載によって本発明が属する技術分野で通常の知識を有する者に明らかに理解できるものである。
【課題を解決するための手段】
【００１０】
前記技術的課題を解決するための本発明に係るクリップタイプ扇風機は、外部の空気が内部に流入されるように備えられた吸気口と、前記吸気口を通して流入された空気を外部に送り出すように備えられた送風口とが形成されたハウジング、モーターとファンとから構成され、前記ハウジング内に内蔵され、前記吸気口を通して外部の空気を吸入し、前記送風口を通して前記空気を外部に排出させるファンユニット、及び前記ハウジングの外面に結合され、弾性力によって広げられたり閉じられたりするように備えられたクリップを含む。
【００１１】
また、前記ハウジングの内部には前記吸気口を通して流入された空気が流動するように備えられた流路が備えられ、前記送風口は、前記ハウジングの一側に形成されたメイン送風口、及び前記ハウジングの他側に形成され、前記ファンユニットによって前記流路に沿って前記ハウジングの他側まで流動した空気が外部に排出されるように備えられたサブ送風口を含んでもよい。
【００１２】
なお、前記ハウジング内に備えられ、前記ファンユニットによって吸入された空気が前記メイン送風口または前記サブ送風口のうちいずれか一つを通して外部に排出されるように、前記ファンユニットによって吸入された空気の流動方向を制御する方向ガイドをさらに含んでもよい。
【００１３】
この時、前記方向ガイドは、内側に前記ファンユニットが収容されるように結合され、側面周縁には、前記ファンユニットを囲んで前記ファンユニットによって排出される空気の流動を遮断するガイド壁、及び前記ガイド壁に一部分のみが開放され、前記ファンユニットによって排出される空気を通過させるベントホールを含んでもよい。
【００１４】
さらに、前記方向ガイドは、回転により前記ベントホールが前記メイン送風口または前記サブ送風口に向かうように前記ベントホールの方向を切り換えることができ、前記ベントホールが前記メイン送風口に向かうように位置する時には、前記サブ送風口は前記ガイド壁によって閉じられ、前記ベントホールが前記サブ送風口に向かうように位置する時には、前記メイン送風口は前記ガイド壁によって閉じられてもよい。
【００１５】
一方、前記メイン送風口は、前記ハウジングの一側上に互いに異なる方向に向かって形成された第１送風口及び第２送風口を含み、前記方向ガイドは、前記ベントホールが前記メイン送風口に向かうように位置する時、回転により、前記ベントホールが前記第１送風口または前記第２送風口のうちいずれか一つに向かうように、前記ベントホールの方向を選択的に切り換えることができ、前記ベントホールが前記第１送風口に向かうように位置する時には、前記第２送風口は前記ガイド壁によって閉じられ、前記ベントホールが前記第２送風口に向かうように位置する時には、前記第１送風口は前記ガイド壁によって閉じられてもよい。
【００１６】
また、前記サブ送風口は、前記ハウジングの他側上に互いに異なる方向に向かって形成された第３送風口、第４送風口及び第５送風口を含んでもよい。
【００１７】
また、前記方向ガイドは、前記ハウジングの外部から前記方向ガイドを回転させることができるように、前記ハウジングに形成されたガイドスリットを通して前記ハウジングの外部に露出されたシフターをさらに含んでもよい。
【００１８】
なお、前記ハウジングは、前記モーターの作動有無を決定し回転速度を制御して前記送風口を通して排出される空気の風速を調節するコントロールスイッチをさらに含んでもよい。
【００１９】
一方、前記ファンは、遠心力を利用して外部の空気を吸入及び送風させる遠心ファン（ｃｅｎｔｒｉｆｕｇａｌ  ｆａｎ）で構成され、前記空気が出て行く翼の前側が曲がったフォワードカーブ型多翼送風機（ｆｏｒｗａｒｄ−ｃｕｒｖｅｄ  ｍｕｌｔｉｂｌａｄｅ  ｆａｎ）であってもよい。
【００２０】
また、前記クリップは、前記ハウジングの外面と結合される結合地点を中心に、前記クリップの一側に位置し、押せるように備えられたプッシュ部、及び前記プッシュ部から延びた前記クリップの他側に位置し、前記プッシュ部が押された時に前記ハウジングの外面から広げられて固定対象を挟み込み、弾性力によって閉じられて前記固定対象を固定させるように備えられた固定部を含んでもよい。
【００２１】
ここで、前記プッシュ部は、前記吸気口から離隔して前記吸気口を向き合うように位置し、前記吸気口を通して流入される空気が通過するように備えられた通気孔を含んでもよい。
【００２２】
そして、前記固定部は前記ハウジングの外面と向き合う方向側に備えられる滑り止めパッドを含み、前記滑り止めパッドと向き合う前記ハウジングの外面には複数の突起からなる凹凸部が形成されてもよい。
【００２３】
また、前記クリップは、弾性及び弾性復原力を備えた素材から構成され、一側が前記ハウジングの外面に固定され、前記ハウジングの外面と接する他側には複数の歯が形成されて外力によって広げられることができ、前記一側から前記他側まで延びた部分には固定対象を挟み込む締結リングが備えられてもよい。
【発明の効果】
【００２４】
前述した構成を有する本発明に係るクリップタイプ扇風機は次のような効果がある。
【００２５】
先ず、携帯し易くクリップを用いて使用者の衣服に固定させて使用できるという利点がある。
【００２６】
また、必要に応じて風向きを選択的に制御することができるため、使用者の衣服の内側にも効率的に風を送風できるという利点がある。
【００２７】
なお、本発明の効果は前記で言及した効果に制限されず、言及していないまた他の効果は請求範囲の記載によって本発明が属する技術分野で通常の知識を有する者に明らかに理解できるものである。
【図面の簡単な説明】
【００２８】
【図１】本発明の一実施形態によるクリップタイプ扇風機の外形を示す図である。
【図２】本発明の一実施形態によるクリップタイプ扇風機の外形を示す図である。
【図３】本発明の一実施形態によるクリップタイプ扇風機の各構成を示す図である。
【図４】本発明の一実施形態によるクリップタイプ扇風機の各構成を示す図である。
【図５】本発明の一実施形態によるシフターを示す図である。
【図６】シフターを用いた方向ガイドの操作に応じた空気流動方向の制御を示す図である。
【図７】シフターを用いた方向ガイドの操作に応じた空気流動方向の制御を示す図である。
【図８】シフターを用いた方向ガイドの操作に応じた空気流動方向の制御を示す図である。
【図９】本発明の一実施形態により使用者の衣服に着用して使われるクリップタイプ扇風機を示す図である。
【図１０】本発明の一実施形態により使用者の衣服に着用して使われるクリップタイプ扇風機を示す図である。
【図１１】本発明の一実施形態により使用者の衣服に着用して使われるクリップタイプ扇風機を示す図である。
【図１２】本発明の一実施形態により使用者の衣服に着用して使われるクリップタイプ扇風機を示す図である。
【図１３】本発明の一実施形態により使用者の衣服に着用して使われるクリップタイプ扇風機を示す図である。
【図１４】本発明の一実施形態により他の形態に構成されるシフターを示す図である。
【図１５】本発明の一実施形態によるクリップを示す図である。
【図１６】本発明の一実施形態によるクリップを示す図である。
【図１７】本発明の一実施形態によるコントロールスイッチを示す図である。
【図１８】本発明の一実施形態によるコントロールスイッチを示す図である。
【図１９】本発明の一実施形態によるバッテリーユニットを示す図である。
【図２０】本発明の一実施形態によりスカーフ、マフラー、タオル等に着用して使われるクリップタイプ扇風機を示す図である。
【図２１】本発明の一実施形態により他の形態に構成されるクリップを示す図である。
【図２２】本発明の一実施形態によりストラップのようなアクセサリーを用いてネックレス型扇風機として使われるクリップタイプ扇風機を示す図である。
【図２３】本発明の一実施形態によりストラップのようなアクセサリーを用いてネックレス型扇風機として使われるクリップタイプ扇風機を示す図である。
【発明を実施するための形態】
【００２９】
以下、本発明の目的を具体的に実現できる本発明の一実施形態を添付された図面を参照して説明する。本実施形態を説明するにおいて、同一の構成に対しては同一の名称及び同一の符号を付けて重複する説明は省略する。
【００３０】
また、本実施形態を説明するにおいて、図面に示された構成は詳細な説明に関する理解を助けるための例示に過ぎず、それによってその権利範囲が制限されるものではない。
【００３１】
先ず、図１〜図４を参照して本発明の一実施形態によるクリップタイプ扇風機の構成について説明する。
【００３２】
図１〜図４に示すように、本実施形態によるクリップタイプ扇風機は、ハウジング１００、ファンユニット２００、クリップ３００及び方向ガイド４００を含むことができる。
【００３３】
ここで、ハウジング１００は、クリップタイプ扇風機を構成する胴体部であり、各種の構成が内蔵または結合されるように備えられた一種のケースである。
【００３４】
このようなハウジング１００には、外部の空気が内部に流入されるように備えられた吸気口１１０、及び吸気口１１０を通して流入された空気を外部に送り出すように備えられた送風口１２０、１３０が形成されることができる。
【００３５】
この時、ハウジング１００の内部には、吸気口１１０を通してハウジング１００の内部に流入された空気が流動するように備えられた流路１４０が備えられることができる。
【００３６】
そして、送風口１２０、１３０は、ハウジング１００の一側に形成されたメイン送風口１２０、及びハウジング１００の他側に形成され、流路１４０に沿って前記ハウジング１００の他側まで流動した空気が外部に排出されるように備えられたサブ送風口１３０を含むことができる。
【００３７】
ファンユニット２００は、ファン２１０とモーター２２０とから構成され、ハウジング１００内に内蔵され、吸気口１１０を通して外部の空気を吸入し、送風口１２０、１３０を通して空気を外部に排出させることができる。
【００３８】
ここで、モーター２２０は、ファン２１０と結合され、ハウジング１００の内部に内蔵されたバッテリーＢから電力の供給を受けてファン２１０を回転させることができる。
【００３９】
そして、本実施形態によるファン２１０は、添付された図面に示されたように、遠心力を利用して外部の空気を吸入及び送風させる遠心ファン（ｃｅｎｔｒｉｆｕｇａｌ  ｆａｎ）で構成されることができる。
【００４０】
さらに、ファン２１０は、空気が出て行く翼の前側が曲がったフォワードカーブ型多翼送風機（ｆｏｒｗａｒｄ−ｃｕｒｖｅｄ  ｍｕｌｔｉｂｌａｄｅ  ｆａｎ）で構成されることができる。
【００４１】
クリップ３００は、ハウジング１００の外面に結合され、弾性力によって広げられたり閉じられたりするように備えられることができる。
【００４２】
このようなクリップ３００を用いることで、使用者はクリップ３００を広げてクリップ３００とハウジング１００の外面との間に固定対象を挟み込み、クリップ３００を閉じて前記固定対象を弾性的に圧迫してハウジング１００を前記固定対象に固定させることができる。
【００４３】
この時、前記固定対象は、使用者がクリップタイプ扇風機を固定しようとする対象であって、例えば、使用者が着用している衣服の首の部分、前立て部分、前ポケット部分等を指し示す。
【００４４】
特に、衣服の前立て部分に着用する場合、ドレスシャツ、カジュアルシャツ等のシャツのボタン間の隙間にハウジング１００の送風口１２０、１３０が位置するようにクリップタイプ扇風機を固定させることができる。
【００４５】
このように、本実施形態によるクリップタイプ扇風機は、前述したように使用者がクリップ３００を用いて衣服の所望の位置に固定することができる。
【００４６】
さらに、固定対象及び固定位置に応じて異なるハウジング１００のポジションに合わせて風が使用者に向かって効率的に送風されるように、必要により、風向きを選択的に制御することができ、使用者の衣服の内側にも効率的に風を送風することができる。
【００４７】
上記のような機能を果たすために、本実施形態によるクリップタイプ扇風機は、ファンユニット２００によって吸入された空気の流動方向を制御する方向ガイド４００をさらに含むことができる。
【００４８】
方向ガイド４００は、ハウジング１００内に備えられ、ファンユニット２００によって吸入された空気がメイン送風口１２０またはサブ送風口１３０のうちいずれか一つを通して外部に排出されるように、空気の流動方向を選択的に制御することができる。
【００４９】
このために、方向ガイド４００は、内側にファンユニット２００が収容されるように結合され、側面周縁にはファンユニット２００を囲んでファンユニット２００によって排出される空気の流動を遮断するガイド壁４１０が形成されることができる。
【００５０】
この時、ガイド壁４１０には、ガイド壁４１０の一部分のみが開放され、ファンユニット２００によって排出される空気が通過するように備えられたベントホール４２０が形成されることができる。
【００５１】
それにより、ファンユニット２００によってハウジング１００の内部に吸入された空気はベントホール４２０が位置した方向に沿って排出されることができ、これを利用して、方向ガイド４００はファンユニット２００を通して排出される空気の送風方向を制御することができる。
【００５２】
より具体的には、図５〜図８を参照して本実施形態による方向ガイド４００の構成及び役割について説明すれば下記の通りである。
【００５３】
方向ガイド４００は、ハウジング１００外部から方向ガイド４００を回転させることができるように、ハウジング１００に形成されたガイドスリット１６０を通してハウジングの外部に露出されたシフター４３０をさらに含むことができる。
【００５４】
使用者はこのようなシフター４３０を用いて方向ガイド４００を回転させることができ、方向ガイド４００は回転によりベントホール４２０がメイン送風口１２０またはサブ送風口１３０に向かうようにベントホール４２０の方向を切り換えることができる。
【００５５】
一方、方向ガイド４００が回転してベントホール４２０がメイン送風口１２０に向かうように位置する時、サブ送風口１３０はガイド壁４１０によって閉じられる。
【００５６】
その反面、方向ガイド４００が回転してベントホール４２０がサブ送風口１２０に向かえば、メイン送風口１２０はガイド壁４１０によって閉じられる。
【００５７】
それにより、方向ガイド４００は、ファンユニット２００を通して排出される空気がメイン送風口１２０またはサブ送風口１３０のうちいずれか一つを通してのみ外部に送風されるように、空気の流動方向を選択的に制御することができる。
【００５８】
また、添付された図面に示されたように、本実施形態によるメイン送風口１２０は、ハウジング１００の一側上に互いに異なる方向に向かって形成された第１送風口１２１及び第２送風口１２２を含むことができる。
【００５９】
それと同様に、本実施形態によるサブ送風口１３０は、ハウジング１００の他側上に互いに異なる方向に向かって形成された第３送風口１３１、第４送風口１３２及び第５送風口１３３を含むことができる。
【００６０】
そして、方向ガイド４００は、ベントホール４２０がメイン送風口１２０に向かうように位置する時、回転により、ベントホール４２０が第１送風口１２１または第２送風口１２２のうちいずれか一つに向かうようにベントホール４２０の方向を選択的に切り換えることができる。
【００６１】
より具体的には、図５に示すように、方向ガイド４００は、ハウジング１００に形成されたガイドスリット１６０に沿って動くシフター４３０を用いて、Ａ、Ｂ、Ｃのように大きく三つの方向にベントホール４２０を位置させることができる。
【００６２】
ここで、Ａ位置は第１送風口１２１が形成された方向であり、Ｂ位置は第２送風口１２２が形成された方向であり、Ｃ位置は第３送風口１３１、第４送風口１３２及び第５送風口１３３を含むサブ送風口１３０と連結された流路１４０が形成された方向であってもよい。
【００６３】
すなわち、図６に示すように、ベントホール４２０が第１送風口１２１に向かうＡ位置に位置する場合、ファンユニット２００を通して排出される空気は第１送風口１２１を通してのみ外部に送風される。
【００６４】
この時、第１送風口１２１を除いた第２送風口１２２、及び第３送風口１３１、第４送風口１３２及び第５送風口１３３を含むサブ送風口１３０と連結された流路１４０はガイド壁４１０によって閉じられる。
【００６５】
その反面、図７に示すように、ベントホール４２０が第２送風口１２２に向かうＢ位置に位置する場合、ファンユニット２００を通して排出される空気は第２送風口１２２を通してのみ外部に送風される。
【００６６】
この時、第２送風口１２２を除いた第１送風口、及び第３送風口１３１、第４送風口１３２及び第５送風口１３３を含むサブ送風口１３０と連結された流路１４０はガイド壁４１０によって閉じられる。
【００６７】
そして、図８に示すように、ベントホール４２０が流路１４０に向かうＣ位置に位置する場合、ファンユニット２００を通して排出される空気は第３送風口１３１、第４送風口１３２及び第５送風口１３３を含むサブ送風口１３０を通してのみ外部に送風される。
【００６８】
ここで、第３送風口１３１、第４送風口１３２及び第５送風口１３３は各々互いに異なる方向に向かうように形成されており、ファンユニット２００を通して排出された空気が同時に様々な角度で外部に送風されるようにすることができる。
【００６９】
この時、流路１４０を除いた第１送風口１２１及び第２送風口１２２はガイド壁４１０によって閉じられる。
【００７０】
一方、本実施形態によるメイン送風口１２０を図面を参照して説明するにおいて、メイン送風口１２０が第１送風口１２１及び第２送風口１２２を含むのは、本実施形態の理解を助けるための例示に過ぎない。
【００７１】
すなわち、本発明に係るクリップタイプ扇風機は、メイン送風口１２０の個数が２個のみに限定されるものではなく、設計時に必要によってさらに多い個数で構成されてもよいことを明らかにしておく。
【００７２】
これは、サブ送風口１３０も同様であり、サブ送風口１３０も第３送風口１３１、第４送風口１３２及び第５送風口１３３のみに限定されるものではなく、設計時に必要によってさらに多い個数で構成されてもよい。
【００７３】
本論に戻り、このように本実施形態によるクリップタイプ扇風機は、前述した構成を通じて使用者の衣服に自由に着用して使用することができ、クリップ３００を用いてＴシャツまたはワイシャツ等、使用者の様々な衣服の形態に適用することができる。
【００７４】
さらに、９〜図１０に示すように、ハウジング１００を所望の位置に固定できるだけでなく、固定対象及び固定位置に応じて異なるハウジング１００のポジションに合わせて風の送風方向を効率的に制御できるという利点がある。
【００７５】
この時、使用者は、ファンユニット２００を通して排出される空気の流動方向が第１送風口１２１または第２送風口１２２のうちの一つとなるようにシフター４３０を操作して方向ガイド４２０を回転させることができる。
【００７６】
さらに、図１１〜図１３に示すように、本実施形態によるクリップタイプ扇風機は、クリップ３００を用いてサブ送風口１３０が形成されたハウジング１００の他側が使用者の衣服Ｓの前立てを通じて衣服Ｓの内側に位置するように固定させることができる。
【００７７】
このようにサブ送風口１３０が衣服の内側に位置する場合、使用者はファンユニット２００を通して排出される空気の流動方向が流路１４０に沿ってサブ送風口１３０に向かうようにシフター４３０を操作して方向ガイド４２０を回転させることができる。
【００７８】
この時、吸気口１１０が形成されたハウジングの一側は衣服Ｓの外側に位置するため、外部の空気を十分に吸入することができる。
【００７９】
そして、サブ送風口１３０は、第３送風口１３１、第４送風口１３２及び第５送風口１３３のように複数の送風口で構成され、使用者の衣服の内側にも立体的で効果的に風を送風させることができる。
【００８０】
さらに、図面には示していないが、本実施形態によるクリップタイプ扇風機は、クリップ３００または使用者の衣服の内側に位置するハウジング１００の他側にはハウジング１００が使用者の身体に過度に接触するのを防止する別途の固定装置等が備えられ、使用者の身体がハウジング１００に直接接触して不便を感じるのを防止することもできる。
【００８１】
一方、図１４に示すように、本実施形態によるガイドスリット１６０ａ及びシフター４３０ａは、第１送風口１２１及び第２送風口１２２が形成されたハウジング１００の一側の外側周縁面に沿って備えられることができる。
【００８２】
前述したように、サブ送風口１３０が使用者の衣服Ｓの前立てを通じて衣服Ｓの内側に位置するようにクリップタイプ扇風機が固定される時、吸気口１１０の位置を考慮して、シフター４３０は一般的に使用者のボディー側に向かうように位置する。
【００８３】
そのために使用者はシフター４３０を操作するのに不便を感じることがあるが、添付された図１４に示すようにガイドスリット１６０ａ及びシフター４３０ａが形成されると、シフター４３０ａに対する接近性が向上するため、使用者がシフター４３０ａをより容易で簡便に操作できるという利点がある。
【００８４】
また、図１５〜図１６に示すように、本実施形態によるクリップ３００はプッシュ部３２０及び固定部３３０を含むことができる。
【００８５】
より具体的には、本実施形態によるクリップ３００は、ハウジング１００の外面と結合される結合地点３１０を中心に、クリップ３００の一側に位置し、押せるように備えられたプッシュ部３２０を含むことができる。
【００８６】
そして、プッシュ部３２０から延びたクリップ３００の他側に位置し、プッシュ部３２０が押された時にハウジング１００の外面から広げられて固定対象を挟み込むように備えられた固定部３３０を含むことができる。
【００８７】
このような固定部３３０は弾性力によって閉じられて前記固定対象を噛んで固定させることができる。
【００８８】
ここで、固定対象とは、前述したように使用者がクリップタイプ扇風機を固定しようとする対象であって、例えば、使用者が着用している衣服の首の部分、前立て部分のボタン間の隙間、前ポケット部分等を指し示す。
【００８９】
一方、プッシュ部３２０は、添付された図面に示されたように、吸気口１１０から離隔して吸気口１１０を向き合うように位置し、吸気口１１０を通して流入される空気が通過するように備えられた通気孔３２１を含むことができる。
【００９０】
それにより、プッシュ部３２０が吸気口１１０を向き合うように位置しても、吸気口１１０を通して流入される外部空気の流れがクリップ３００によって阻害されず、通気孔３２１を通して外部の空気が十分に吸気口１１０に流入されることができる。
【００９１】
そして、固定部３３０はハウジング１００の外面と向き合う方向側に備えられる滑り止めパッド３３１を含み、滑り止めパッド３３１と向き合うハウジング１００の外面には複数の突起からなる凹凸部１７０が形成されることができる。
【００９２】
ここで、滑り止めパッド３３１は、クリップ３００を用いてハウジング１００を固定対象に固定させる時、ハウジング１００の自重によりハウジング１００が初期固定位置から滑って動くのを防止することができ、ゴム、シリコン、シリコンゴムのような材質からなることができる。
【００９３】
それと同様に、凹凸部１７０も、クリップ３００を用いてハウジング１００を固定対象に固定させる時、ハウジング１００の自重によりハウジング１００が初期固定位置に堅固に固定されるようにし、前述した滑り止めパッド３３１と接する位置に配置されてその効果をより高めることができる。
【００９４】
次に、図１７〜図１８に示すように、本実施形態によるハウジング１００は、前述したファンユニット２００中のモーター２２０の作動有無を決定し回転速度を制御するコントロールスイッチ１５０をさらに含むことができる。
【００９５】
このようなコントロールスイッチ１５０は、ダイヤルタイプであって、ハウジング１００の側面に備えられ、回転により送風口１２０、１３０を通して排出される空気の風速を調節することができる。
【００９６】
この時、コントロールスイッチ１５０が備えられたハウジングの側面には、風速の強弱に応じたコントロールスイッチ１５０の回転方向を視覚的に表示する表示記号１５１が形成されることができる。
【００９７】
また、図１８に示すように、本実施形態によるコントロールスイッチ１５０ａは、機械式のダイヤルタイプでない、電子式のボタンタイプで構成されてもよい。
【００９８】
この時、コントロールスイッチ１５０ａが備えられたハウジングの側面には、現在の風速を段階的に表示するディスプレイ１５１ａが備えられることもできる。
【００９９】
一方、本実施形態によるコントロールスイッチ１５０は、上記のような構成だけでなく、モーターの作動有無及び回転速度を制御できる構成及び構造に幾らでも多様に構成されることができる。
【０１００】
このようなコントロールスイッチ１５０は、前述したように使用者が直接操作してモーター２２０の作動有無及び回転速度を制御することもできるが、ブルートゥース（ｂｌｕｅｔｏｏｔｈ）等のような近距離無線通信を介して制御するように構成されることもできる。
【０１０１】
それのみならず、図面に示していないが、コントロールスイッチ１５０は、モーター２２０の作動有無及び回転速度等を制御するにおいて、ワンチップマイクロプロセッサ（ｏｎｅ−ｃｈｉｐ  ｍｉｃｒｏｐｒｏｃｅｓｓｏｒ）を用いるように構成されることもできる。
【０１０２】
さらに、図１９に示すように、本実施形態によるハウジング１００の内部には、モーター２２０の駆動に必要な電力を供給するように備えられたバッテリーユニット１８０が備えられることができる。
【０１０３】
このようなバッテリーユニット１８０はＵＳＢ（Ｕｎｉｖｅｒｓａｌ  Ｓｅｒｉａｌ  Ｂｕｓ）を介して充電可能に構成され、ハウジング１００には充電のためのピンケーブル等が接続されるポート１８１が備えられることができる。
【０１０４】
それにより、本実施形態によるクリップタイプ扇風機は、乾電池のような１次電池の使用による維持費を節約できるだけでなく、どこでも容易に充電して持続的に使用することができる。
【０１０５】
次に、図２０に示すように、本実施形態によるクリップタイプ扇風機は、使用者の衣服だけでなく、スカーフ、マフラー、タオル等に取り付けて使用することもできる。
【０１０６】
このために、本実施形態によるクリップ５００は、スカーフ、マフラー、タオル等にハウジング１００をより堅固に取り付けることができるように、図２１のような形態を持って弾性及び弾性復原力を備えた素材から構成されることができる。
【０１０７】
このようなクリップ５００は、図２１に示すように、一側がハウジング１００の外面に固定され、ハウジング１００の外面と接する他側は複数の歯５１０が形成されて外力によって広げられるように備えられることができる。
【０１０８】
また、前記一側から前記他側まで延びた部分には固定対象を挟み込む締結リング５２０が備えられることができる。
【０１０９】
この時、締結リング５２０内に挟み込まれる前記固定対象はスカーフ、マフラー、タオル等のように首に巻けるアクセサリー等であってもよい。
【０１１０】
上記のような構成を有するクリップ５００を用いることで、本実施形態によるクリップタイプ扇風機は、スカーフ、マフラー、タオル等のように首に巻けるアクセサリーにも堅固に固定させて使用することができる。
【０１１１】
それのみならず、スカーフ、マフラー、タオル等を水に濡らした状態でクリップタイプ扇風機を使う場合、送風口１２０、１３０を通して送風される風が水の気化を促進させることができるため、使用者はより効果的に暑さを解消することができる。
【０１１２】
さらに、図２２〜図２３に示すように、本実施形態によるクリップタイプ扇風機は、ストラップ（Ｓ）のように首にかけるように備えられたアクセサリーに取り付けてネックレス型扇風機として使用することもできる。
【０１１３】
それにより、使用者は、クリップタイプ扇風機を従来のネックレス型扇風機のように首にかけ、必要なときに扇風機を把持して風を当たりたい部位に向かうように直接風を送風させることもできる。
【０１１４】
以上のように本発明による一実施形態について説明したが、前述した実施形態以外にも本発明がその旨や範疇から逸脱せずに他の特定形態に具体化できるということは該当技術に通常の知識を有した者には明らかなことである。
【０１１５】
よって、上述した実施形態は制限的なものではなく例示的なものであって、本発明は上述した説明に限定されず、添付された請求項の範疇及びその同等な範囲内で変更されてもよい。
【符号の説明】
【０１１６】
１００  ・・・ハウジング
１１０  ・・・吸気口
１２０  ・・・メイン送風口
１２１  ・・・第１送風口
１２２  ・・・第２送風口
１３０  ・・・サブ送風口
１３１  ・・・第３送風口
１３２  ・・・第４送風口
１３３  ・・・第５送風口
１４０  ・・・流路
１５０  ・・・コントロールスイッチ
２００  ・・・ファンユニット
２１０  ・・・ファン
２２０  ・・・モーター
３００、５００  ・・・クリップ
４００  ・・・方向ガイド
４１０  ・・・ガイド壁
４２０  ・・・ベントホール
４３０  ・・・シフター
【図１】
0006423073.tif 000002
【図２】
0006423073.tif 000003
【図３】
0006423073.tif 000004
【図４】
0006423073.tif 000005
【図５】
0006423073.tif 000006
【図６】
0006423073.tif 000007
【図７】
0006423073.tif 000008
【図８】
0006423073.tif 000009
【図９】
0006423073.tif 000010
【図１０】
0006423073.tif 000011
【図１１】
0006423073.tif 000012
【図１２】
0006423073.tif 000013
【図１３】
0006423073.tif 000014
【図１４】
0006423073.tif 000015
【図１５】
0006423073.tif 000016
【図１６】
0006423073.tif 000017
【図１７】
0006423073.tif 000018
【図１８】
0006423073.tif 000019
【図１９】
0006423073.tif 000020
【図２０】
0006423073.tif 000021
【図２１】
0006423073.tif 000022
【図２２】
0006423073.tif 000023
【図２３】
0006423073.tif 000024